(57)【要約】【課題】状態の悪い紙幣が投入されたことで生ずる紙幣の搬送異常を防止する手段を提供する。【解決手段】投入された紙幣を収納する紙幣投入部を備える紙幣入出金機において、紙幣の搬送の可否を判定するための状態を測定する紙幣状態測定センサを設け、該紙幣状態測定センサにより測定した紙幣の状態が取込不可状態のとき、該紙幣を返却することを特徴とする。【選択図】        図３
2006053619.tif 000002
【特許請求の範囲】
【請求項１】
投入された紙幣を収納する紙幣投入部を備える紙幣入出金機において、
紙幣の搬送の可否を判定するための状態を測定する紙幣状態測定センサを設け、
該紙幣状態測定センサにより測定した紙幣の状態が取込不可状態のとき、該紙幣を返却することを特徴とする紙幣入出金機。
【請求項２】
請求項１において、
前記紙幣状態測定センサが、湿度を測定する湿度センサであることを特徴とする紙幣入出金機。
【請求項３】
請求項１において、
表示部を備え、
前記紙幣状態測定センサが測定した紙幣の状態が取込不可状態のとき、前記表示部に返却理由を表示することを特徴とする紙幣入出金機。
【請求項４】
投入された紙幣を収納する紙幣投入部を備える紙幣入出金機において、
前記紙幣投入部に収納した紙幣の分離繰出し手段と、紙幣表面の湿度を測定する湿度センサとを備え、
前記湿度センサにより測定した紙幣表面の湿度により前記分離繰出し手段を制御することを特徴とする紙幣入出金機。
【請求項５】
請求項４において、
前記紙幣投入部内に向けて送風可能に配置したファンを設け、
前記湿度センサによる湿度測定値が、取込判定値を超えているとき、前記ファンにより紙幣に風を吹き付けることを特徴とする紙幣入出金機。
【請求項６】
請求項４において、
前記分離繰出し手段には、前記紙幣投入部に収納した紙幣を繰出すための分離ローラと、該分離ローラに紙幣を押付けるビルプレスとを配し、
前記湿度センサは少なくとも前記分離ローラ側、または前記ビルプレス側に位置する紙幣表面の湿度を測定することを特徴とする紙幣入出金機。
【請求項７】
請求項５において、
前記紙幣投入部の下方に設置され、紙幣投入部に投入された異物を収納する異物収納部を設け、
前記ファンは前記異物収納部と対向して配置されていることを特徴とする紙幣入出金機。
【発明の詳細な説明】
【技術分野】
【０００１】
本発明は、入金される紙幣を分離搬送して処理する紙幣入出金機に関する。
【背景技術】
【０００２】
従来の紙幣入出金機は、紙幣投入部に投入された紙幣を搬送路により鑑別部へ搬送して紙幣の金種、真偽を鑑別し、鑑別された紙幣をその金種ごとに設定された金種別カセット部に集積している。（例えば、特許文献１参照。）。
【特許文献１】特開２０００−８２１６４号公報（第４頁右欄５０行目−第５頁左欄２行目、第１図）
【発明の開示】
【発明が解決しようとする課題】
【０００３】
しかしながら、上述した従来の技術においては、投入された紙幣の状態に関わらず搬送路に繰出して搬送するため、例えば高い湿度を有する状態の紙幣が投入されて搬送されると、搬送中に紙幣ジャムや重送等の搬送異常が生じる要因となるという問題がある。
本発明は、上記の問題点を解決するためになされたもので、状態の悪い紙幣が投入されたことで生ずる紙幣の搬送異常を防止する手段を提供することを目的とする。
【課題を解決するための手段】
【０００４】
本発明は、上記課題を解決するために、投入された紙幣を収納する紙幣投入部を備える紙幣入出金機において、紙幣の搬送の可否を判定するための状態を測定する紙幣状態測定センサを設け、該紙幣状態測定センサにより測定した紙幣の状態が取込不可状態のとき、該紙幣を返却することを特徴とする。
【発明の効果】
【０００５】
これにより、本発明は、投入された紙幣の状態を測定し、その測定した紙幣の状態が取込不可状態のときに取引処理を中断して紙幣を返却するため、状態の悪い紙幣を搬送することで生じる紙幣の搬送異常を防止することができるという効果が得られる。
【発明を実施するための最良の形態】
【０００６】
以下に、図面を参照して本発明による紙幣入出金機の実施例について説明する。
【実施例１】
【０００７】
図１は実施例１の紙幣入出金機を示す斜視図、図２は実施例１の紙幣入出金機を示すブロック図、図３は実施例１の紙幣入出金機の内部を示す説明図である。
図１、図２および図３において１は紙幣入出金機であり、銀行等の金融機関の店舗に設置され顧客との取引を自動で行う。
２はＬＣＤ等の表示部であり、取引選択画面や各種の入力画面、顧客の処置を促す画面等を表示する。
【０００８】
３は入力部であり、テンキー等を備えており、顧客の暗証番号や入出金金額等の入力を受付ける。
４は、カード取扱部であり、挿入された顧客のキャッシュカード等の取引カードの磁気ストライプに記録されているカード情報を読み書きする機能を有すると共に取引明細票等を印刷する機能を有している。
【０００９】
５は通帳取扱部であり、挿入された顧客の通帳の磁気ストライプに記録されている通帳情報を読み書きする機能を有すると共に取引内容等を顧客の通帳に記帳する機能を有している。
紙幣投入部６は、顧客が投入した紙幣Ｐおよび出金取引で払出す紙幣Ｐを網目状に形成された収納底部６ａの上に立てた状態で収納すると共に、紙幣Ｐに紛れて投入された硬貨やクリップ等の異物が網目の隙間から下方に設置されている異物収納部７に落ちるように構成されている。
【００１０】
８は紙幣投入口シャッタ部であり、紙幣入出金機１の筐体１ａ側に設けた筐体シャッタ９と、紙幣投入部６の上方に設けられ、紙幣投入部６に立てた状態で収納された紙幣Ｐの面の直交方向に開閉する両開きの扉１０ａ、１０ｂを有するスライド式の投入部シャッタ１０により構成される。そして顧客により紙幣Ｐが投入されるとき、あるいは顧客へ紙幣Ｐを出金するとき図４に示すように筐体シャッタ９および投入部シャッタ１０を開いて、紙幣Ｐを搬送しているとき等は筐体シャッタ９および投入部シャッタ１０を閉じて取引処理中での顧客による不意の紙幣投入部６への手挿入等の事故を防ぐ。
【００１１】
１１は検知センサであり、光学式等のセンサであって、紙幣投入部６内の紙幣Ｐの残留の有無を検知する。
１２はビルプレスであり、紙幣Ｐの繰出時に紙幣投入部６内に収納された紙幣Ｐを押付ける。
１３はビルプレス１２と対向配置された分離ローラであり、搬送路１４の最上流に配置されて図５に示すようにビルプレス１２と分離ローラ１３との間に収納された紙幣Ｐをビルプレス１２により分離ローラ１３に押付けて分離ローラ１３を回転させることにより一枚づつ分離して搬送路１４へ繰出す。
【００１２】
ビルプレス１２、分離ローラ１３およびこれらを作動させるための図示しない駆動源等により分離繰出し手段が構成される。
搬送路１４は、対向配置されたローラあるいはベルト等により構成され、紙幣Ｐを挟持して搬送する。
１５は鑑別部であり、紙幣投入部６から搬送路１４により搬送された紙幣Ｐの真偽、正損、金種等を鑑別する。
【００１３】
１６は一時保管部であり、鑑別部１５にて鑑別された紙幣Ｐを一時的に保管する。
１７はセレクタであり、一時保管部１６から搬送路１４により搬送された紙幣Ｐを金種別カセット部１８に集積するときに、その搬送方向を切替える。
金種別カセット部１８は、鑑別部１５で鑑別された紙幣Ｐを設定された金種ごとに集積する。
【００１４】
２０は制御部であり、紙幣入出金機１の各部の制御を行う。
２１は記憶部であり、制御部２０が実行するプログラムやそれに用いる各種のデータおよび制御部２０による処理結果等が格納されると共に、紙幣Ｐを安全に取込んで搬送するための湿度の判定値としての取込判定値を格納する。
２３は紙幣状態測定センサとしての湿度センサであり、例えば静電容量式や抵抗式等のセンサであり、投入部シャッタ１０の分離ローラ１３から離れている側の扉１０ａ、すなわちビルプレス１２側に紙幣投入部６内に突出するように弾性体の支持シャフトを介して設置され、湿度測定回路２４を介して制御部２０に接続されている。
【００１５】
湿度センサ２３は、図６に示すように投入部シャッタ１０が閉まるときに扉１０ａの閉動作に伴って紙幣投入部６内に収納している紙幣Ｐの分離ローラ１３から離れた位置の紙幣Ｐの長手方向中央部上端に接触してその湿度を測定する。
なお、本実施例では静電容量式の検知センサを用いる。
上記の紙幣入出金機１の記憶部２１には、各種の取引処理業務を実行する機能を有する業務処理プログラムが格納されており、制御部２０と業務処理プログラムとの各ステップにより本実施例のハードウェアとしての各種の機能手段が形成される。
【００１６】
上述した構成の作用について、図７に示す実施例１の紙幣入出金機の動作を示すフローチャートを用い、Ｓで示すステップに従って実施例１の紙幣入出金機の動作を説明する。
Ｓ１、制御部２０は、表示部２に預入取引、振込取引および払出取引等の選択肢を表示した取引選択画面を表示して待機する。
本実施例では、顧客はテンキーにより預入取引の選択肢を選択する。
【００１７】
Ｓ２、預入取引を行うことを認識した制御部２０は、表示部２に取引カードまたは通帳の挿入を促す文言を表示し、顧客が取引カードをカード取扱部４に挿入、または通帳を通帳取扱部５に挿入すると、制御部２０は筐体シャッタ９および投入部シャッタ１０を開くと共に、表示部２に紙幣の投入を促す文言を表示する。そして顧客は紙幣Ｐを紙幣投入部６に投入する。
【００１８】
Ｓ３、顧客により紙幣Ｐが紙幣投入部６に投入されると、制御部２０は検知センサ１１が紙幣Ｐを検知したことにより紙幣投入部６に紙幣Ｐが投入されたことを認識する。
Ｓ４、制御部２０は、タイマー機能により紙幣Ｐの投入を認識してから一定時間経過したことを認識すると、筐体シャッタ９および投入部シャッタ１０を閉じる。
Ｓ５、制御部２０は、投入部シャッタ１０の扉１０ａの閉動作に伴って湿度センサ２３を紙幣Ｐの表面に接触させて投入された紙幣Ｐの表面湿度を測定する。
【００１９】
Ｓ６、紙幣Ｐの表面湿度を測定した制御部２０は、記憶部２１に格納されている取込判定値（例えば９６％ＲＨ（Ｒｅｌａｔｉｖｅ  Ｈｕｍｉｄ））を読出して測定した湿度の値、つまり湿度測定値と比較し、湿度測定値が取込判定値を超えていた場合はステップＳ７に分岐し、湿度測定値が取込判定値以下の場合はステップＳ９に移行する。
Ｓ７、湿度測定値が取込判定値を超えていると判断した制御部２０は、紙幣Ｐが取込不可状態だと認識して表示部２に図８に示す紙幣Ｐを返却することとその返却理由を記した文言、例えば「お客様の投入された紙幣は、大変湿っておりますのでお取り扱いできません。」等の文言を表示した返却理由説明メッセージを表示する。
【００２０】
Ｓ８、制御部２０は、筐体シャッタ９および投入部シャッタ１０を開いて顧客に紙幣Ｐを返却し、顧客が紙幣Ｐを受取ったことにより検知センサ１１が紙幣投入部６内の紙幣Ｐを検知しなくなって所定時間の経過後に、筐体シャッタ９および投入部シャッタ１０を閉じてステップＳ１に戻り表示部２に取引選択画面を表示して待機する。
Ｓ９、湿度測定値が取込判定値以下であると判断した制御部２０は、紙幣Ｐをビルプレス１２により押付けて分離ローラ１３を回転させて一枚づつ分離して搬送路１４へ繰出し、ステップＳ２で認識した預入取引処理に関する動作を通常通りに実行して預入取引処理を終了させる。そして制御部２０は顧客が取引カードまたは通帳を抜き取るとステップＳ１に戻り表示部２に取引選択画面を表示して待機する。
【００２１】
このように、本実施例では預入取引等の顧客から紙幣Ｐが投入される取引において、投入部シャッタ１０の扉１０ａの閉動作に伴って湿度センサ２３を投入された紙幣Ｐの表面に接触させることにより紙幣Ｐの表面湿度を測定し、湿度測定値が取込判定値を超えているとき顧客が選択した取引処理を中断して紙幣Ｐを顧客に返却する。
以上説明したように、本実施例では、湿度センサにより顧客が投入した紙幣表面の湿度を測定し、湿度測定値が取込判定値を超えているときに取引処理を中断するため、高湿度の紙幣を搬送したときに生じる紙幣の搬送異常を防止することができる。
【００２２】
また、高い湿度の紙幣と共に湿気が紙幣入出金機内に侵入して紙幣入出金機内部に錆が生じてしまうことを防止することができる。
なお、本実施例において湿度測定値が取込判定値を超えていると認識したとき返却理由説明メッセージを表示して取引を中断するとして説明したが、湿度測定値が取込判定値を超えてもすぐに取引を中断しないようにしてもよい。そのような場合紙幣返却を伝える旨と新たに紙幣の投入を促す旨を伝える文言、例えば「お客様の投入された紙幣は大変湿っておりますのでお取扱できません。乾いた紙幣を投入してください」等の文言を表示部に表示し、筐体シャッタおよび投入部シャッタを開いて顧客が紙幣を受取ったことを検知センサにより確認したら表示部の画面を紙幣の投入を促す文言、例えば「紙幣を投入してください」等の文言を表示した画面に切替える。
【００２３】
そして、検知センサにより顧客による紙幣の投入の有無を判断して顧客が紙幣を投入しなかったときは取引を中断すると判断し、顧客が紙幣を投入したときは上記と同様にして投入された紙幣の表面湿度を測定し、その紙幣の湿度測定値と取込判定値とを比較してその結果に応じた処理を行うようにし、紙幣の再投入が所定の回数（例えば３回）行われた後に湿度測定値が取込判定値を超えていた場合は取引を中断するようにする。
【００２４】
また、表示部に紙幣返却を伝える旨と新たに紙幣の投入を促す旨を伝える文言を表示して紙幣を顧客に返却した後、顧客が紙幣の投入を行わなかったときに、表示部に窓口の利用を進める文言、例えば「窓口にてお預かり、または交換できます。」等の文言を表示すれば、紙幣入出金機で扱えない取引を窓口で行わせることができる。
【実施例２】
【００２５】
図９は実施例２の異物収納部を示す説明図である。
なお、上記実施例１と同様の部分は、同一の符号を付してその説明を省略する。
図９において、異物収納部７は、紙幣投入部６の収納底部６ａの下方に設置される中箱３０とそれが嵌め込まれる外箱３２により構成されており、外箱３２の対向する一対の内側面の底面から所定の高さにＬ字状の支持部を設け、中箱３０を外箱３２に嵌め込んだときにこの支持部により中箱３０が支えられている。
【００２６】
中箱３０の底面は硬貨やクリップ等の異物より小さい孔が複数設けられた異物収納面３１が形成され、紙幣投入部６に投入された紙幣Ｐに紛れた異物を収納する。
外箱３２はその１つの側面の略下半分が開口しており、開口している側面の外側で対向して外箱３２内に風を送るファン３３と、ファン３３と外箱３２の側面との間に発熱体３４が設置されている。
【００２７】
ファン３３により異物収納部７の外箱３２内に送風する際、発熱体３４に通電して発熱させると外箱３２内に送られる風が熱風となり、その熱風が中箱３０の異物収納面３１の複数設けられた小さい孔を通り抜けて中箱３０に送られていく。
そして、熱風が中箱３０の上方の収納底部６ａを通ることにより、紙幣投入部６に収納している紙幣Ｐに吹き付けられる。
【００２８】
本実施例の記憶部２１には、上記実施例１で格納されているものに加えて紙幣Ｐに一定時間送風して乾燥させれば安全に取込んで搬送できる湿度の判定値としての乾燥判定値が格納されている。
上述した構成の作用について、図１０に示す実施例２の紙幣入出金機の動作を示すフローチャートを用い、ＳＡで示すステップに従って実施例２の紙幣入出金機の動作を説明する。
【００２９】
本実施例では顧客の紙幣Ｐを受入れる預入取引を行う場合、実施例１と同様にして投入された紙幣Ｐの表面湿度を測定するため、ステップＳＡ１からステップＳＡ５までの動作は上記実施例１のステップＳ１からステップＳ５までの動作と同様であるのでその説明を省略する。
ＳＡ６、顧客が投入した紙幣Ｐの表面湿度を測定した制御部２０は、記憶部２１に格納されている取込判定値（例えば９６％ＲＨ）を読出して測定した湿度の値、つまり湿度測定値と比較し、湿度測定値が取込判定値以下の場合はステップＳＡ７に分岐し、湿度測定値が取込判定値を超えていた場合はステップＳＡ８に移行する。
【００３０】
ＳＡ７、湿度測定値が取込判定値以下と認識した制御部２０は、紙幣Ｐをビルプレス１２により押付けて分離ローラ１３を回転させて一枚づつ分離して搬送路１４へ繰出し、ステップＳＡ２で認識した預入取引処理に関する動作を通常通り実行して預入取引処理を終了させる。そして制御部２０は顧客が取引カードまたは通帳を抜き取るとステップＳＡ１に戻り表示部２に取引選択画面を表示して待機する。
【００３１】
ＳＡ８、湿度測定値が取込判定値を超えていると判断した制御部２０は、記憶部２１に格納されている乾燥判定値（例えば９８％ＲＨ）を読出して湿度測定値と比較し、湿度測定値が乾燥判定値を超えている場合はステップＳＡ１２に分岐し、湿度測定値が乾燥判定値以下の場合はステップＳＡ９に移行する。
ＳＡ９、湿度測定値が乾燥判定値以下であると判断した制御部２０は、発熱体３４を発熱させてファン３３を動かして熱風を発生させることにより、熱風を外箱３２から中箱３０を通じて紙幣投入部６内に送り、そこに収納されている紙幣Ｐに熱風を吹き付け、表示部２に図１１に示す紙幣Ｐを乾燥中である旨の文言、例えば「お客様の投入された紙幣は、大変湿っておりますのでお取扱できません。ただいま乾燥させていますのでしばらくお待ちください。」等の文言と取引を中断するための選択肢、熱風を吹き付ける残り時間のカウントダウン等を表示した紙幣乾燥案内画面を表示する。
【００３２】
ＳＡ１０、タイマー機能により一定時間、例えば３０秒間熱風を吹き付けたことを認識した制御部２０は、ファン３３および発熱体３４の作動を止めて紙幣Ｐの表面湿度を再測定する。
ＳＡ１１、熱風により乾燥させた紙幣Ｐの表面湿度を再測定した制御部２０は、記憶部２１に格納されている取込判定値を読出して再測定した湿度の値、つまり湿度再測定値と比較し、湿度再測定値が取込判定値を超えている場合はステップＳＡ１２に分岐し、湿度再測定値が取込判定値以下の場合はステップＳＡ７に移行する。
【００３３】
ＳＡ１２、湿度測定値が乾燥判定値を超えている、あるいは湿度再測定値が取込判定値を超えていると判断した制御部２０は、紙幣Ｐが取込不可状態だと認識して表示部２に上記実施例１のステップＳ７と同様の返却理由説明メッセージを表示する。
ＳＡ１３、制御部２０は、筐体シャッタ９および投入部シャッタ１０を開くことにより顧客に紙幣Ｐを返却し、顧客が紙幣Ｐを受取ったことにより検知センサ１１が紙幣Ｐを検知しなくなって所定時間の経過後に、筐体シャッタ９および投入部シャッタ１０を閉じてステップＳＡ１に戻り表示部２に取引選択画面を表示して待機する。
【００３４】
このように本実施例では投入された紙幣Ｐの表面湿度を測定し、湿度測定値が取込判定値を超えても、乾燥判定値以下であれば熱風を吹き付けて紙幣Ｐを乾燥させて湿度の再測定を行い、湿度再測定値が取込判定値以下となっていれば顧客の選択した取引処理を実行する。
以上説明したように、本実施例では、上記実施例１の効果に加え、湿度測定値が取込判定値を超えても、乾燥判定値以下であれば熱風を吹き付けて紙幣を乾燥させるので、湿度の高い紙幣を乾燥させて搬送することができるため湿度の状態による取引中断の割合を低減させることができる。
【００３５】
なお、上記実施例１、実施例２において、投入部シャッタの分離ローラから離れている側の扉に湿度センサを設置するとして説明したが、湿度センサを分離ローラから離れた位置にあるビルプレスに設置して紙幣が投入されたときビルプレスを動かして湿度センサを分離ローラから最も離れた位置の紙幣に接触させて紙幣の表面湿度を測定するようにしてもよい。このようにすれば紙幣投入口シャッタ部が１つのシャッタで構成されている紙幣入出金機にも本発明を適用することができる。
【００３６】
また、ビルプレスに湿度センサを設置すれば紙幣を乾燥させる際に、筐体シャッタを閉じて投入部シャッタを開放した状態のまま、熱風の吹き付けを行うことができるため、熱風の逃げ口を確保して乾燥効率を向上させることができる。
【実施例３】
【００３７】
図１２は実施例３の分離ローラと湿度センサとの位置関係を示す説明図、図１３は実施例３の紙幣投入部を示す説明図である。
なお、上記実施例１および実施例２と同様の部分は、同一の符号を付してその説明を省略する。
図１２において、本実施例の湿度センサ２３は分離ローラ１３の近傍に設置され、顧客により投入された紙幣Ｐがビルプレス１２により分離ローラ１３の方に寄せられたときに分離ローラ１３に最も近い位置の紙幣Ｐの長手方向中央部上端に接触してその湿度を測定する。
【００３８】
図１３において、紙幣投入部６の網目状となっている収納底部６ａは分離ローラ１３の下方の位置まで形成され、その収納底部６ａが形成されている範囲とほぼ同じ大きさで異物収納部７が形成されている。
上述した構成の作用について、図１４に示す実施例３の紙幣入出金機の動作を示すフローチャートを用い、ＳＢで示すステップに従って実施例３の紙幣入出金機の動作を説明する。
【００３９】
本実施例では顧客の紙幣を受入れる預入取引を行う場合、実施例２と同様にして投入された紙幣Ｐの表面湿度を測定するためステップＳＢ１からステップＳＢ４までの動作は上記実施例２のステップＳＡ１からステップＳＡ４までの動作と同様であるのでその説明を省略する。
ＳＢ５、制御部２０は、紙幣Ｐをビルプレス１２により押付けて湿度センサ２３を紙幣Ｐの表面に接触させて表面湿度を測定する。
【００４０】
ＳＢ６、紙幣Ｐの表面湿度を測定した制御部２０は、上記実施例２のステップＳＡ６と同様に測定した湿度の値、つまり湿度測定値と取込判定値とを比較し、湿度測定値が取込判定値以下の場合はステップＳＢ７に分岐し、湿度測定値が取込判定値を超えていた場合はステップＳＢ８に移行する。
ＳＢ７、湿度測定値が取込判定値以下と判断した制御部２０は、預入取引処理に関する動作を通常通り実行して預入取引処理を終了させる。そして制御部２０は顧客が取引カードまたは通帳を抜き取るとステップＳＢ１に戻り表示部２に取引選択画面を表示して待機する。
【００４１】
ＳＢ８、湿度測定値が取込判定値を超えていると判断した制御部２０は、上記実施例２のステップＳＡ８と同様に湿度測定値と乾燥判定値とを比較し、湿度測定値が乾燥判定値を超えている場合はステップＳＢ１２に分岐し、湿度測定値が乾燥判定値以下の場合はステップＳＢ９に移行する。
ＳＢ９、湿度測定値が乾燥判定値以下であると判断した制御部２０は、発熱体３４を発熱させてファン３３を動かして熱風を一定時間発生させることにより、熱風を外箱３２から中箱３０、収納底部６ａを通じて紙幣投入部６内に送り、そこに収納されている紙幣Ｐに熱風を吹き付けると共に、表示部２に紙幣Ｐを乾燥中である旨の文言と熱風を吹き付ける残り時間、取引を中断するための「取消」キー等を表示した紙幣乾燥案内画面を表示する。
【００４２】
ＳＢ１０、タイマー機能により一定時間紙幣Ｐに熱風を吹き付けたことを認識した制御部２０は、ファン３３および発熱体３４の作動を止めて紙幣Ｐの表面湿度を再測定する。
ＳＢ１１、熱風により乾燥させた紙幣Ｐの表面湿度を再測定した制御部２０は、記憶部２１に格納されている取込判定値を読出して再測定した湿度の値、つまり湿度再測定値と比較し、湿度再測定値が取込判定値を超えている場合にはステップＳＢ１２に分岐し、湿度再測定値が取込判定値以下の場合はステップＳＢ７に移行する。
【００４３】
ＳＢ１２、湿度測定値が乾燥判定値を超えている、あるいは湿度再測定値が取込判定値を超えていると判断した制御部２０は、紙幣Ｐが取込不可状態だと認識して表示部２に上記実施例２のステップＳＡ１２と同様の返却理由メッセージを表示する。
ＳＢ１３、制御部２０は、ビルプレス１２を元の位置に戻して筐体シャッタ９および投入部シャッタ１０を開いて顧客に紙幣Ｐを返却し、顧客が紙幣Ｐを受取ったことにより検知センサ１１が紙幣Ｐを検知しなくなって所定時間の経過後に、筐体シャッタ９および投入部シャッタ１０を閉じてステップＳＢ１に戻り表示部２に取引選択画面を表示して待機する。
【００４４】
このように、本実施例では分離ローラ１３の近傍に湿度センサ２３を設置し、ビルプレスにより投入された紙幣Ｐを押圧したときに湿度センサ２３が紙幣Ｐに触れて湿度を測定する。
なお、湿度測定のタイミングとしては、繰出す紙幣毎に行えばより良いことは言うまでもない。
【００４５】
以上説明したように、本実施例では、分離ローラの近傍に設置した湿度センサが、投入された紙幣をビルプレスにより押付けたときに紙幣表面に触れて湿度を測定するため、最初に繰出される紙幣表面の湿度を測定することができるので高い湿度の紙幣を搬送してしまうことを防止できる。
なお、本実施例において、湿度センサにより湿度の測定をしたままの状態、つまりビルプレスと分離ローラの間に紙幣を挟んだまま熱風を吹き付けるとして説明したが、熱風を吹き付ける前にビルプレスを紙幣から少し離せば複数枚の紙幣が投入された場合に紙幣と紙幣の間に隙間ができて熱風がその隙間に入ることにより紙幣の乾燥させる効率が向上する。
【００４６】
また、本実施例において、紙幣を乾燥させるときに熱風を一定時間発生させるとして説明したが、予め紙幣を乾燥させるために必要な熱風を発生させる時間を、ビルプレスと分離ローラとの間に紙幣を挟んだときのビルプレスの移動量から認識する紙幣枚数と測定した紙幣の湿度との組合せから算出した乾燥時間データテーブルを記憶部に格納しておき、ビルプレス移動の際に認識した紙幣枚数と測定した紙幣の湿度の組合せから乾燥時間データテーブルを参照することにより熱風を発生させる時間を読出し、その時間に従って熱風を発生させれば紙幣の乾燥を確実に行うことができる。
【００４７】
なお、上記各実施例において預入取引を行うとして説明したが顧客から紙幣を受付ける取引であればよいので、振込取引に適応しても前記と同様の効果を得ることができる。
また、上記各実施例において、紙幣の表面湿度を測定するとき筐体シャッタおよび投入部シャッタを閉じるようにしたが、紙幣の表面湿度を測定するときに投入部シャッタのみを閉めて紙幣を搬送路へ繰出す際に筐体シャッタを閉めるようにすれば、紙幣を返却するときに投入部シャッタだけを開けばよく、顧客へ紙幣を返却するときに時間を短縮することができる。
【００４８】
なお、上記実施例２および実施例３において、熱風を吹き付けた後の紙幣の表面湿度が取込判定値以下となれば紙幣を取引処理を実行するとして説明したが、熱風を吹き付けた場合は別の湿度の判定値として乾燥後湿度判定値（例えば９０％ＲＨ）を設け、この乾燥後湿度判定値以下となった場合に取引処理を実行するようにすれば、さらに紙幣の搬送を安全に実行することができる。
【００４９】
また、上記実施例２、実施例３において、熱風を発生させるとして説明したが、湿度の低い乾燥空気を送風して紙幣を乾燥させるようにしても上記と同様の効果を得ることができる。
さらに、上記実施例２、実施例３において、湿度センサにより測定した紙幣の湿度が低い場合（例えば２０％ＲＨ）に熱風を吹き付けて紙幣投入部内の温度を上昇させて紙幣投入部内の湿度を上昇させれば、低い湿度の紙幣を搬送しているときに発生する静電気により紙幣入出金機の各部に異常が生じてしまうことを防止することができる。
【００５０】
さらに、上記各実施例において、紙幣状態測定センサとして湿度センサを用いるとして説明したが、紙幣の帯電電位を測定する静電気センサを用いてもよい。
この場合測定した紙幣の帯電電位が予め設定した判定値よりも高いときに取込不可状態と認識して顧客が選択した取引処理を中断するようにしてもよく、またファンと発熱体を備えている場合は紙幣投入部内の温度を上昇させることにより紙幣投入部内の湿度を上げて紙幣の帯電電位を下げてから取引処理を実行すればよい。
【００５１】
また、上記各実施例では紙幣入出金機を例に説明したが、例えば券売機や自動販売機等の顧客からの紙幣の受入れを行っている自動取引装置に適用すれば同様の効果を得ることができる。
【図面の簡単な説明】
【００５２】
【図１】実施例１の紙幣入出金機を示す斜視図
【図２】実施例１の紙幣入出金機を示すブロック図
【図３】実施例１の紙幣入出金機の内部を示す説明図
【図４】実施例１の紙幣投入時の紙幣投入部と紙幣投入口シャッタ部を示す説明図
【図５】実施例１の紙幣繰出時の紙幣投入部を示す説明図
【図６】実施例１の湿度測定時の紙幣投入部を示す説明図
【図７】実施例１の紙幣入出金機の動作を示すフローチャート
【図８】実施例１の返却理由説明メッセージ表示例
【図９】実施例２の異物収納部を示す説明図
【図１０】実施例２の紙幣入出金機の動作を示すフローチャート
【図１１】実施例２の紙幣乾燥案内画面表示例
【図１２】実施例３の分離ローラと湿度センサとの位置関係を示す説明図
【図１３】実施例３の紙幣投入部を示す説明図
【図１４】実施例３の紙幣入出金機の動作を示すフローチャート
【符号の説明】
【００５３】
１    紙幣入出金機
１ａ  筐体
２    表示部
３    入力部
４    カード取扱部
５    通帳取扱部
６    紙幣投入部
６ａ  収納底部
７    異物収納部
８    紙幣投入口シャッタ部
９    筐体シャッタ
１０  投入部シャッタ
１０ａ、１０ｂ  扉
１１  検知センサ
１２  ビルプレス
１３  分離ローラ
１４  搬送路
１５  鑑別部
１６  一時保管部
１７  セレクタ
１８  金種別カセット部
２０  制御部
２１  記憶部
２３  湿度センサ
２４  湿度測定回路
３０  中箱
３１  異物収納面
３２  外箱
３３  ファン
３４  発熱体
【図１】
2006053619.tif 000003
【図２】
2006053619.tif 000004
【図３】
2006053619.tif 000005
【図４】
2006053619.tif 000006
【図５】
2006053619.tif 000007
【図６】
2006053619.tif 000008
【図７】
2006053619.tif 000009
【図８】
2006053619.tif 000010
【図９】
2006053619.tif 000011
【図１０】
2006053619.tif 000012
【図１１】
2006053619.tif 000013
【図１２】
2006053619.tif 000014
【図１３】
2006053619.tif 000015
【図１４】
2006053619.tif 000016